(57)【要約】      （修正有）【課題】弾球遊技機の遊技性を向上させる。【解決手段】通過始動口を遊技球が通過すると第１の抽選を行う第１抽選手段と、所定の表示が可能な図柄表示装置と、入球口１２２および入球口を通過した遊技球が入球可能な内部空間１０３を有するセンター役物１００と、内部空間の下部に設けられ、機械的な第２の抽選を行う第２抽選手段と、第１もしくは第２の抽選の結果に基づいて特別遊技を行わせる特別遊技実行手段とを備え、さらに、開閉扉１３１を有した開閉装置１３０が飾り部材の外周側部に設けられ、開閉扉は入球口を閉止する閉止位置と上端部が入球口から側方に離れて上方から落下移動してくる遊技球を前記入球口に導く開放位置とに揺動移動可能である。通過始動口がセンター役物の下方に設けられ、前部空間内に遊技球を転動移動させて通過始動口に向けて案内する第１ステージ部を設けられ、内部空間と前部空間とを仕切る仕切部材１９０が設けられている。【選択図】図５
2010172720.tif 000002
【特許請求の範囲】
【請求項１】
所定の遊技領域が設けられた遊技盤を備え、前記遊技領域内に遊技球を発射して遊技を行う弾球遊技機において、
前記遊技領域に設けられ、遊技球が通過可能な通過始動口と、
前記通過始動口を遊技球が通過すると所定の抽選ソフトウエアを利用した第１の抽選を行う第１抽選手段と、
前記遊技領域内に設けられて所定の表示が可能な図柄表示装置と、
前記図柄表示装置の前面側に露出する表示部を囲んで前記遊技領域に設けられ、遊技球が通過可能な入球口および、前記入球口を通過した遊技球が入球可能な内部空間を有する飾り部材と、
前記飾り部材の前記内部空間の下部に設けられ、前記入球口を通過して前記内部空間内に入り込んだ遊技球を利用して機械的な第２の抽選を行う第２抽選手段と、
前記第１の抽選もしくは前記第２の抽選の結果に基づいて、遊技者に通常遊技よりも有利な特別遊技を行わせる特別遊技実行手段とを備え、
前記入球口が前記飾り部材の側部に開口して前記内部空間に連通するように形成され、前記入球口を開閉自在に覆う開閉扉を有した開閉装置が前記飾り部材の外周側部に設けられており、
前記開閉扉は前記入球口に沿うとともに下端部を中心として揺動可能に取り付けられ、前記入球口に沿って位置して前記入球口を閉止する閉止位置と上端部が前記入球口から側方に離れて上方から落下移動してくる遊技球を前記入球口に導く開放位置とに揺動移動可能であり、
前記通過始動口が、前記遊技領域における前記飾り部材の下方に位置して設けられ、
前記飾り部材における前記内部空間の前側に位置する前部空間内に、前記前部空間に入り込んだ遊技球を転動移動させて前記通過始動口に向けて落下移動するように案内する第１ステージ部が設けられており、
前記内部空間と前記前部空間とを仕切る仕切部材が設けられており、
前記第２抽選手段は、前記内部空間に設けられ、遊技球が通過すると前記特別遊技実行手段が作動する特別入賞口と、前記内部空間に入球した遊技球を前記遊技盤の裏面側に排出するための球排出口と、前記内部空間に設けられ、前記内部空間に入球した遊技球を前記特別入賞口もしくは前記球排出口のいずれか一方に導く振り分け装置とを有して構成されたことを特徴とする弾球遊技機。
【発明の詳細な説明】
【技術分野】
【０００１】
本発明は、パチンコ機（ぱちんこ遊技機）に代表される弾球遊技機に関する。
【背景技術】
【０００２】
弾球遊技機には、第１種ぱちんこ遊技機や、第２種ぱちんこ遊技機と称されるものがあり、従来から広く親しまれている。第１種ぱちんこ遊技機は、所定の遊技領域が設けられた遊技盤と、遊技領域に設けられて遊技球が通過可能な始動口と、始動口を遊技球が通過すると所定の抽選を行う抽選手段と、抽選手段による抽選の結果に基づいて図柄を変動表示可能な図柄表示装置とを備えて構成される。そして、図柄表示装置に停止表示された図柄が予め定められた当たり図柄であるときに、遊技領域の下部に設けられた大入賞装置により大入賞口を開放して遊技球の入賞を容易にすることで、遊技者に通常遊技よりも有利な特別遊技を行わせるようになっている。
【０００３】
第２種ぱちんこ遊技機は、所定の遊技領域が設けられた遊技盤と、遊技領域に設けられて遊技球が通過可能な始動口と、遊技領域に設けられて側部に形成された大入賞口を通じて遊技球が内部に入球可能な役物と、役物の側部に設けられて大入賞口を開閉可能な羽根部材とを有して構成される。そして、始動口を遊技球が通過することで羽根部材が大入賞口を開放し、羽根部材に拾われて大入賞口を通過（入賞）した遊技球が役物内のＶゾーンと称される入賞口に飛び込むと、羽根部材が大入賞口を比較的長い時間開放して遊技球の入賞を容易にすることで、遊技者に特別遊技を行わせるようになっている。
【０００４】
このように、第２種ぱちんこ遊技機の役物には、Ｖゾーンと称される入賞口と、この入賞口を通過しない遊技球を役物の外部に排出するための排出口と、役物内に入球した遊技球を入賞口もしくは排出口のいずれか一方に導く誘導手段とが設けられており（例えば、特許文献１を参照）、これらが遊技球を利用して機械的な抽選を行う抽選装置として機能している。
【先行技術文献】
【特許文献】
【０００５】
【特許文献１】特開２００４−８９２１８号公報
【発明の概要】
【発明が解決しようとする課題】
【０００６】
しかしながら、上述のような抽選装置では、遊技球が入賞口（Ｖゾーン）に向かうルートから外れると、抽選におけるはずれが決定しまうため、遊技が単調なものになっていた。
【０００７】
本発明は、このような問題に鑑みて成されたものであり、変化のある遊技が可能な構成の弾球遊技機を提供することを目的とする。
【課題を解決するための手段】
【０００８】
このような目的達成のため、本発明に係る弾球遊技機は、所定の遊技領域が設けられた遊技盤を備え、前記遊技領域内に遊技球を発射して遊技を行う弾球遊技機（例えば、実施形態におけるパチンコ機ＰＭ）において、前記遊技領域に設けられ、遊技球が通過可能な通過始動口と、前記通過始動口を遊技球が通過すると所定の抽選ソフトウエアを利用した第１の抽選を行う第１抽選手段と、前記遊技領域内に設けられて所定の表示が可能な図柄表示装置と、前記図柄表示装置の前面側に露出する表示部を囲んで前記遊技領域に設けられ、遊技球が通過可能な入球口および、前記入球口を通過した遊技球が入球可能な内部空間を有する飾り部材（例えば、実施形態におけるセンター役物１００）と、前記飾り部材の前記内部空間の下部に設けられ、前記入球口を通過して前記内部空間内に入り込んだ遊技球を利用して機械的な第２の抽選を行う第２抽選手段と、前記第１の抽選もしくは前記第２の抽選の結果に基づいて、遊技者に通常遊技よりも有利な特別遊技を行わせる特別遊技実行手段とを備えて構成される。
【０００９】
その上で、前記入球口が前記飾り部材の側部に開口して前記内部空間に連通するように形成され、前記入球口を開閉自在に覆う開閉扉を有した開閉装置が前記飾り部材の外周側部に設けられており、前記開閉扉は前記入球口に沿うとともに下端部を中心として揺動可能に取り付けられ、前記入球口に沿って位置して前記入球口を閉止する閉止位置と上端部が前記入球口から側方に離れて上方から落下移動してくる遊技球を前記入球口に導く開放位置とに揺動移動可能であり、前記通過始動口が、前記遊技領域における前記飾り部材の下方に位置して設けられ、前記飾り部材における前記内部空間の前側に位置する前部空間内に、前記前部空間に入り込んだ遊技球を転動移動させて前記通過始動口に向けて落下移動するように案内する第１ステージ部が設けられており、前記内部空間と前記前部空間とを仕切る仕切部材が設けられており、前記第２抽選手段は、前記内部空間に設けられ、遊技球が通過すると前記特別遊技実行手段が作動する特別入賞口と、前記内部空間に入球した遊技球を前記遊技盤の裏面側に排出するための球排出口と、前記内部空間に設けられ、前記内部空間に入球した遊技球を前記特別入賞口もしくは前記球排出口のいずれか一方に導く振り分け装置とを有して構成されている。
【発明の効果】
【００１０】
本発明に係る弾球遊技機によれば、飾り部材の内部空間内に第２抽選手段を設けるとともに、この内部空間内へ遊技球を入り込ませる入球口を飾り部材の側部に開口して設け、この入球口を開閉自在に覆う開閉装置を飾り部材の外周側部に設けているため、この開閉装置を開閉させることにより、入球口を通って内部空間への遊技球の通過を規制したり許可したりすることができる。このため、飾り部材の内部空間に設けられた第２抽選手段による抽選を、第１抽選手段による抽選とを独立して行わせる制御が可能である。これにより、第１および第２の抽選手段を用いた遊技を効果的に組み合わせることが可能となり、それぞれの遊技の特性を適宜組み合わせて遊技性を向上させることができる。
【００１１】
特に、開閉装置が閉止位置と開放位置とに揺動可能な開閉扉を有し、この開閉扉が開放位置に位置したときには、その上端部が入球口から側方に離れて上方から落下移動してくる遊技球を入球口に導くため、遊技球は入球口を通って内部空間内に入りやすくなり、第２抽選手段を用いた遊技を適切に実行できる状態とすることができる。
【図面の簡単な説明】
【００１２】
【図１】本発明に係る弾球遊技機の一例として示すパチンコ機の正面図である。
【図２】上記パチンコ機の裏面側を示す背面図である。
【図３】センター役物の正面図である。
【図４】カバー部材が取り外されたセンター役物の正面図である。
【図５】センター役物の左方向斜視図である。
【図６】センター役物の右方向斜視図である。
【図７】図３中の矢印VII−VIIに沿った側断面図である。
【図８】図３中の矢印VIII−VIIIに沿った平断面図である。
【図９】図３中の矢印IX−IXに沿った側断面図である。
【図１０】カバー部材の左側面図である。
【図１１】上記パチンコ機に構成される遊技制御装置の概要を示すブロック図である。
【図１２】回転体の変形例を示す拡大正面図である。
【図１３】第二実施形態のパチンコ機に構成される遊技盤の正面図である。
【図１４】第二実施形態のパチンコ機に構成されるセンター役物の正面図である。
【図１５】第二実施形態のパチンコ機に構成される遊技制御装置の概要を示すブロック図である。
【発明を実施するための形態】
【００１３】
以下、本発明の好ましい実施形態について図面を参照しながら説明する。本発明に係る弾球遊技機の代表例としてパチンコ機（ぱちんこ遊技機）ＰＭを図１および図２に示しており、まず、これらの図面を参照しながらパチンコ機ＰＭの全体構成について要約説明する。ここで、図１はパチンコ機ＰＭの正面図、図２はパチンコ機ＰＭの背面図である。
【００１４】
パチンコ機ＰＭは、図１に示すように、外郭方形枠サイズに構成されて縦向きの固定保持枠をなす外枠１の開口前面に、これに合わせた方形枠サイズに構成される開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００１５】
前枠２の各部には、パチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤正面の遊技領域ＰＡを臨ませている。
【００１６】
遊技盤１０の遊技領域ＰＡには、図示しない遊技釘が多数配設され、遊技領域ＰＡの中央部近傍には、特別図柄表示装置１１や演出図柄表示装置１２が取り付けられたセンター役物１００が配設される。また、遊技領域ＰＡの下部には、通過始動口１３ａを有する始動入賞装置１３が設けられ、遊技球が通過始動口１３ａを通過すると、始動入賞装置１３内に設けられた入賞検出センサ２３（図１１を参照）に検出されて遊技盤１０の裏面側へ排出されるようになっている。
【００１７】
さらに、始動入賞装置１３の下方には、開放始動口１４ａを有する普通電動役物１４が設けられ、遊技球が開放始動口１４ａを通過すると、普通電動役物１４内に設けられた入賞検出センサ２４（図１１を参照）に検出されて遊技盤１０の裏面側へ排出されるようになっている。普通電動役物１４は、始動入賞装置１３の下方に隣接して設けられた開閉型入賞装置であり、普通電動役物１４が閉鎖状態にあるときには、入口部分が始動入賞装置１３に塞がれて遊技球は普通電動役物１４に入賞できず、普通電動役物１４が開放状態にあるときに、遊技球が普通電動役物１４に入賞できるようになっている。
【００１８】
また、普通電動役物１４の左方には遊技球が通過可能な普通図柄作動ゲート１５が設けられ、普通電動役物１４の下方には第１大入賞口１６ａを開閉可能な第１大入賞装置１６が設けられる。第１大入賞装置１６は、特別遊技中に第１大入賞口ソレノイド２６（図１１を参照）を用いて第１大入賞口１６ａを開放し、遊技球を第１大入賞口１６ａに対し通過容易にする。第１大入賞口１６ａは、遊技領域ＰＡの下部に設けられた横長方形状の入賞口であり、第１大入賞口１６ａが閉鎖状態にあるときには、遊技球は第１大入賞口１６ａを通過することができず、第１大入賞口１６ａが開放状態になったときに、遊技球が第１大入賞口１６ａを通過することができる。遊技球が第１大入賞口１６ａを通過すると、第１大入賞装置１６内に設けられた入賞検出センサ２７（図１１を参照）に検出されて遊技盤１０の裏面側へ排出されるようになっている。
【００１９】
また、遊技領域ＰＡの右下部には、普通図柄作動ゲート１５での遊技球の通過を契機として行われる抽選の結果に基づいて普通図柄を変動表示する普通図柄表示装置１７が設けられる。さらに、遊技領域ＰＡの左右下部には、普通入賞口１８ａを有する複数の普通入賞装置１８が設けられ、遊技球が普通入賞口１８ａを通過すると、普通入賞装置１８内に設けられた入賞検出センサ（図示せず）に検出されて遊技盤１０の裏面側へ排出されるようになっている。また、遊技領域ＰＡの下端には、各入賞装置に入賞せずに落下した遊技球を遊技盤１０の裏面側へ排出させるアウト口１９が設けられている。
【００２０】
前枠２の裏面側には、図２に示すように、中央に前後連通する窓口を有して前枠２よりもやや小型の方形枠状に形成された裏セット盤３０が、前枠２の裏面に設けられた複数のレバーＬ，Ｌ…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基板４０や主基板５０等の各種制御基板および電子部品等が取り付けられ、これらの各機器および遊技盤１０の裏面に取り付けられたサブ制御基板６０が図示省略するワイヤーハーネスで接続されている。
【００２１】
球皿６に前面側が覆われた前枠２の下部領域には遊技補助盤（図示せず）と称される補助機構部が形成されており、この遊技補助盤の各部に、打球発射装置（図示せず）や、裏セット盤３０側の賞球排出通路３５と繋がり球皿６に排出できない遊技球を一時貯留する貯留カセット（図示せず）などが設けられている。
【００２２】
次に、センター役物１００について図３〜図１０を追加参照しながら説明する。ここで、図３はセンター役物１００の正面図、図４はカバー部材１９０が取り外されたセンター役物１００の正面図、図５はセンター役物１００の左方向斜視図、図６はセンター役物１００の右方向斜視図、図７は図３中の矢印VII−VIIに沿った側断面図、図８は図３中の矢印VIII−VIIIに沿った平断面図、図９は図３中の矢印IX−IXに沿った側断面図、そして図１０はカバー部材１９０の左側面図である。
【００２３】
センター役物１００は、樹脂材料を用いて射出成形等により一体的に形成された種々の構成部品からなり、遊技盤１０の中央前面側に取り付けられる。センター役物１００の中央部には、図３および図４に示すように、前後に開口した直方体形の内部空間１０３が形成されており、この内部空間１０３に遊技球が入球可能に構成されている。内部空間１０３の前下方には、図３および図４に示すように、前面側が開口した前部空間１０４が形成されており、この前部空間１０４にも遊技球が入球可能に構成されている。
【００２４】
前部空間１０４の前面側には、遊技球が通過可能なステージ開口１０７が形成されており、ステージ開口１０７を通過した遊技球が前部空間１０４へ入球するようになっている。前部空間１０４の底部には、第１ステージ部１０５が左右に延びて形成される。第１ステージ部１０５は、左右両端から中央に向けて下方へ傾斜するように形成され、その中央上部にはステージ傾斜部１０６が前方へ向かうにつれて下方へ傾斜するように形成される。そして、ステージ開口１０７を通過して前部空間１０４に入球した遊技球は、第１ステージ部１０５の上を一時的に停留するように左右へ転がり移動し、ステージ傾斜部１０６から遊技領域ＰＡの下部に設けられた始動入賞装置１３へ向けて落下するようになっている。
【００２５】
センター役物１００の後部には、図３、図４および図９に示すように、内部空間１０３の後方を塞ぐように図示しない透明板を介して演出図柄表示装置１２が取り付けられており、演出図柄表示装置１２の前面に設けられた表示面１２ａが内部空間１０３（および、ガラス扉５等）を通じて外部から視認可能に構成されている。また、センター役物１００の上部前面側には、特別図柄表示装置１１が取り付けられている。なお、図５および図６において、特別図柄表示装置１１および演出図柄表示装置１２の記載を省略している。
【００２６】
特別図柄表示装置１１は、発光ダイオード等から構成され、後述する第１抽選手段２１２による抽選（以下、第１の抽選と称する）の結果に基づいて特別図柄（図示せず）を変動表示する。演出図柄表示装置１２は、液晶ディスプレイ等から構成され、特別図柄表示装置１１と連動して装飾図柄（図示せず）を表示面１２ａに変動表示する。特別図柄は、始動入賞装置１３（通過始動口１３ａ）への遊技球の入賞を契機として行われる第１の抽選の結果に基づいて表示される図柄であり、大当たりを発生させるか否かを示す役割を持つ。また、装飾図柄は、特別図柄で示される第１の抽選の結果表示を視覚的に演出するための図柄であり、例えば、スロットマシンの図柄表示を模した複数列の変動図柄として表示面１２ａの中央領域に表示される。
【００２７】
なお、本実施形態における特別図柄（図示せず）は、演出的な役割を持たず、特別図柄表示装置１１により演出図柄と比較して目立たない大きさで表示されるが、これに限られるものではなく、演出図柄を用いずに特別図柄に演出的な役割を持たせ、この特別図柄を演出図柄表示装置１２のような表示装置に表示させるようにしてもよい。また、演出図柄表示装置１２は、液晶ディスプレイに限らず、回転式ドラムや発光ダイオード等を用いた表示手段を有して構成されてもよい。
【００２８】
センター役物１００の左側には、第２大入賞装置１２０が設けられる。第２大入賞装置１２０は、センター役物１００の左前面に取り付けられた入賞装置本体１２１と、入賞装置本体１２１に形成される第２大入賞口１２２を開閉可能な開閉装置１３０とを主体に構成される。入賞装置本体１２１は樹脂材料を用いて略箱形に形成され、センター役物１００の左前面を覆うように取り付けられる。入賞装置本体１２１の左側部、すなわちセンター役物１００の左周部に位置して、縦長方形状の第２大入賞口１２２が形成されており、この第２大入賞口１２２を通過した遊技球は入賞装置本体１２１の内部を落下するようになっている。入賞装置本体１２１の内部には、図５および図７に示すように、第２大入賞口１２２を通過して入賞装置本体１２１の内部に達した遊技球を検出する入賞検出センサ１２３が設けられている。
【００２９】
図７に示すように、センター役物１００の左前面における入賞装置本体１２１に覆われる部分には、入賞装置本体１２１の底部に達した遊技球が通過可能な開口１０１が形成されており、センター役物１００内の導入通路１０２に繋がっている。この導入通路１０２は、センター役物１００内で前後方向に延びて入賞装置本体１２１の内部と内部空間１０３とに繋がるように形成されており、開口１０１を通過して導入通路１０２に達した遊技球は、導入通路１０２を転がり移動して内部空間１０３に入球するようになっている。
【００３０】
開閉装置１３０は、図５に示すように、第２大入賞口１２２を開閉可能な開閉扉１３１と、開閉扉１３１を開閉させるための第２大入賞口ソレノイド１３２とを主体に構成される。開閉扉１３１は、樹脂材料を用いて羽根状に形成され、入賞装置本体１２１に対し第２大入賞口１２２を揺動開閉可能に取り付けられる。なおこのとき、開閉扉１３１はセンター役物１００の左周部に位置することになる。そして、開閉扉１３１の開放時には、羽根状の開閉扉１３１が第２大入賞口１２２の側方へ揺動し、開閉扉１３１上に達した遊技球を受け止めて第２大入賞口１２２へ導くようになっている。これにより、開閉扉１３１の開放時には遊技球が第２大入賞口１２２に対し通過容易となる。このようにして、２つの大入賞装置１６，１２０を省スペースで遊技盤１０に取り付けることが可能になる。なお、開閉扉１３１の閉鎖時には、遊技球は第２大入賞口１２２を通過することができない。
【００３１】
第２大入賞口ソレノイド１３２は、センター役物１００の裏面側に取り付けられ、可動鉄心１３３がリンク機構１３４を介して開閉扉１３１と連結される。そして、第２大入賞口ソレノイド１３２のオフ作動時には、可動鉄心１３３が図示しない付勢バネの付勢力を受けて下方へ移動するとともに、可動鉄心１３３とリンク機構１３４を介して連結された開閉扉１３１が第２大入賞口１２２を閉鎖するように（右方へ）揺動する。一方、第２大入賞口ソレノイド１３２のオン作動時には、可動鉄心１３３が付勢バネの付勢力に抗して上方へ移動するとともに、開閉扉１３１が第２大入賞口１２２を開放するように（左方へ）揺動する。
【００３２】
ところで、センター役物１００の内部空間１０３には、内部空間１０３に入球した遊技球を利用して機械的な抽選（以下、第２の抽選と称する）を行う第２抽選手段１５０が設けられる。第２抽選手段１５０は、図６に示すように、内部空間１０３に入球した遊技球を遊技盤１０の裏面側に排出するための球排出口１５１と、遊技球が通過可能な特別入賞口１５６（Ｖゾーンとも称される）と、内部空間１０３に入球した遊技球を球排出口１５１もしくは特別入賞口１５６のいずれか一方に導く振り分け装置１６０と備えて構成される。
【００３３】
球排出口１５１は、図８および図９に示すように、内部空間１０３の底部において、振り分け装置１６０に構成される第２ステージ部１６１の前下方に上方を向いて形成され、第２ステージ部１６１から落下した遊技球が通過可能に構成される。また、球排出口１５１は、第２ステージ部１６１に合わせて左右へ延びる横長方形状に形成されている。センター役物１００の下部には、球排出口１５１に繋がって球排出通路１５２が形成されており、センター役物１００の下端に設けられた裏排出口１５３（図５を参照）に繋がっている。この裏排出口１５３は、遊技盤１０の裏面側に位置して形成されており、球排出口１５１を通過した遊技球は、球排出通路１５２を転がり移動し裏排出口１５３から遊技盤１０の裏面側に排出されるようになっている。
【００３４】
特別入賞口１５６は、図６、図８および図９に示すように、内部空間１０３の底部において、球排出口１５１の前方に形成された第３ステージ部１５７の中央部に上方を向いて形成される。第３ステージ部１５７は、球排出口１５１に合わせて左右へ延びるように形成されており、その上部は球排出口１５１へ向けて下方に傾斜している。図９に示すように、第３ステージ部１５７内には、特別入賞口１５６に繋がって特別入賞通路１５８が形成されており、球排出通路１５２に繋がっている。特別入賞通路１５８には、特別入賞口１５６を通過して特別入賞通路１５８に達した遊技球を検出するＶ入賞センサ１５９が設けられている。
【００３５】
振り分け装置１６０は、図４および図６に示すように、内部空間１０３に入球した遊技球を一時的に停留させつつ前下方へ落下させる第２ステージ部１６１と、第２ステージ部１６１の前面壁部に回転自在に取り付けられて遊技球を支持可能な左回転体１７１および右回転体１７６と、左回転体１７１および右回転体１７６を回転駆動する回転駆動装置１８０とを備えて構成される。第２ステージ部１６１は、内部空間１０３の底部後端において左右へ延びるように形成され、図４に示すように、演出図柄表示装置１２の表示面１２ａの一部が第２ステージ部１６１に覆われるようになっている。
【００３６】
また、第２ステージ部１６１は、半透明（もしくは、透明）となっており、表示面１２ａにおける第２ステージ部１６１に覆われた部分（以下、図４に示すようにサブ表示面１２ｂと称する）からの表示光を透過可能に構成されている。そして、サブ表示面１２ｂに所定の発光制御画像（例えば、第２ステージ部１６１の左右部分に位置整合させた単色光や点滅光等）を表示させることで、第２ステージ部１６１が発光するようになっている。
【００３７】
これにより、装飾図柄表示装置１２による発光制御画像の表示を制御することで第２ステージ部１６１を所望の色模様で発光させることが可能となり、第２ステージ部１６１の発光による演出効果を高めることができる。また、装飾図柄表示装置１２により別途ランプ等を用いることなく第２ステージ部１６１を発光させることができるため、部品点数を減少させることが可能となり、パチンコ機ＰＭの製造コストを低減させることができる。さらに、第２ステージ部１６１全体がサブ表示面１２ｂからの表示光を透過可能な光透過部として機能するため、演出図柄表示装置１２により第２ステージ部１６１全体を発光させることが可能となり、演出効果をより高めることができる。
【００３８】
第２ステージ部１６１の上部には、遊技球が転がり移動可能な球通過部１６２が形成されている。球通過部１６２は、図４および図６に示すように、第２ステージ部１６１の上部に左右へ延びる波面状に形成され、図６に示すように、左端部が導入通路１０２に繋がっている。波面状の球通過部１６２に形成される３つの谷部には、中央傾斜部１６３と、左傾斜部１６４と、右傾斜部１６５とがそれぞれ形成されている。
【００３９】
中央傾斜部１６３および左傾斜部１６４並びに右傾斜部１６５は、前方へ向かうにつれて下方へ傾斜するようにそれぞれ形成され、球通過部１６２を転がり移動する遊技球が各傾斜部１６３，１６４，１６５のいずれかを通過して第２ステージ部１６１から落下可能に構成される。そして、中央傾斜部１６３は、第２ステージ部１６１から落下した遊技球が左右の回転体１７１，１７６を利用して特別入賞口１５６へ到達することが可能な入賞落下位置に位置するようになっている。これにより、遊技球が各傾斜部１６３，１６４，１６５のいずれかを通過することで、その後の抽選の結果を容易に認識することができ、遊技球を利用した第２の抽選の展開を明快にすることができる。
【００４０】
左回転体１７１は、前後に延びる円柱状の左胴部１７２と、左胴部１７２の外周部に垂直に突出して形成された２つの第１左羽根部１７３と、左胴部１７２の外周部に垂直に突出して形成された２つの第２左羽根部１７４とを備え、左胴部１７２の中心を回転軸として回転自在に構成される。左胴部１７２は、後方へ向かうにつれて径が若干小さくなる円柱状に形成されており、左胴部１７２上に位置する遊技球が前方へ落下し難いようになっている。
【００４１】
第１左羽根部１７３は、前後に延びる板状に形成されており、左胴部１７２の外周部に１８０度間隔で配置される。第２左羽根部１７４は、第１左羽根部１７３より狭い幅を有して前後に延びる板状に形成されており、左胴部１７２の外周部に１８０度間隔で配置される。そして、第１左羽根部１７３および第２左羽根部１７４は、左胴部１７２の外周部に交互に９０度間隔で配置されるようになっている。また、第１左羽根部１７３および第２左羽根部１７４は、それぞれ左胴部１７２の右端側に変位した状態で、前方へ向かうにつれて下方へ傾斜するようになっている。
【００４２】
右回転体１７６は、左回転体１７１と同様に、前後に延びる円柱状の右胴部１７７と、右胴部１７７の外周部に垂直に突出して形成された２つの第１右羽根部１７８と、右胴部１７７の外周部に垂直に突出して形成された２つの第２右羽根部１７９とを備え、右胴部１７７の中心を回転軸として回転自在に構成される。右胴部１７７は、後方へ向かうにつれて径が若干小さくなる円柱状に形成されており、右胴部１７７上に位置する遊技球が前方へ落下し難いようになっている。
【００４３】
第１右羽根部１７８は、前後に延びる板状に形成されており、右胴部１７７の外周部に１８０度間隔で配置される。第２右羽根部１７９は、第１右羽根部１７８より狭い幅を有して前後に延びる板状に形成されており、右胴部１７７の外周部に１８０度間隔で配置される。そして、第１右羽根部１７８および第２右羽根部１７９は、右胴部１７７の外周部に交互に９０度間隔で配置されるようになっている。また、第１右羽根部１７８および第２右羽根部１７９は、それぞれ右胴部１７７の左端側に変位した状態で、前方へ向かうにつれて下方へ傾斜するようになっている。
【００４４】
このような左回転体１７１および右回転体１７６は、第２ステージ部１６１の前面壁部に左右対称に設けられ、左回転体１７１と右回転体１７６との間隙部を開放し第２ステージ部１６１の中央傾斜部１６３（入賞落下位置）から落下した遊技球を該間隙部に通過させて球排出口１５１へ落下させる非入賞位置と、左右の羽根部（例えば、第１左羽根部１７３および第１右羽根部１７８、もしくは第２左羽根部１７４および第２右羽根部１７９）により該間隙部を閉鎖し中央傾斜部１６３（入賞落下位置）から落下した遊技球を羽根部で受け止めて支持する入賞可能位置（図４および図６を参照）とに選択的に回転変位可能に構成される。そして、左回転体１７１と右回転体１７６との間隙部を閉鎖する羽根部に支持された遊技球は、前方に転がり移動して羽根部から落下し特別入賞口１５６を通過するようになっている。これにより、第２の抽選における遊技性を確保しつつ、各回転体１７１，１７６の構造をシンプルにすることができる。
【００４５】
回転駆動装置１８０は、図９に示すように、電動モータ１８１と、電動モータ１８１の回転力を左右の回転体１７１，１７６に伝達する歯車機構１８２とを備えて構成され、センター役物１００の下部に配設される。そして、電動モータ１８１が（正方向に）回転すると、電動モータ１８１の回転力が歯車機構１８２を介して左右の回転体１７１，１７６に伝達され、左回転体１７１が前方から見て時計回りに回転するとともに、右回転体１７６が前方から見て反時計回りに回転するようになっている。
【００４６】
また、センター役物１００には、内部空間１０３における第２抽選手段１５０の前面側を覆うカバー部材１９０が設けられている。このカバー部材１９０は、図１０に示すように、透明樹脂材料を用いて板状に形成され、図９に示すように、第３ステージ部１５７の前部に取り付けられる。これにより、内部空間１０３（第２抽選手段１５０）に対する第２大入賞口１２２以外からの遊技球の入球、例えば、前部空間１０４に達した遊技球が内部空間１０３に入球するのを防止することができ、第２抽選手段１５０による遊技球を利用した機械的な（第２の）抽選を確実に行うことができる。さらに、カバー部材１９０を透明もしくは半透明にすることで、カバー部材１９０を通じて内部空間１０３に設けられた第２抽選手段１５０を視認することができる。
【００４７】
また、カバー部材１９０が第３ステージ部１５７の前部に取り付けられることにより、図９に示すように、センター役物１００の中央内部において、装飾図柄表示装置１２と、ガラス扉５と、カバー部材１９０とに囲まれて内部空間１０３が形成され、センター役物１００の前部において、ガラス扉５と、カバー部材１９０とに囲まれて前部空間１０４が形成される。すなわち、カバー部材１９０を用いてセンター役物１００の内部空間１０３と前部空間１０４とが仕切られるようになっている。そのため、第１の抽選に関連する第１ステージ部１０５と、機械的な第２の抽選を行う第２抽選手段１５０とを互いに独立した状態でセンター役物１００に設けることができる。
【００４８】
カバー部材１９０の上端には、天井部１９１が前方に延びて形成されており、この天井部１９１により前部空間１０４の上部（第１ステージ部１０５の上方）が覆われるようになっている。これにより、前部空間１０４から内部空間１０３への遊技球の入球をより確実に防止することができる。また、カバー部材１９０の上端（天井部１９１）の高さ位置は、第２ステージ部１６１の上端の高さ位置とほぼ一致するようになっている。これにより、内部空間１０３（第２抽選手段１５０）に対する第２大入賞口１２２以外からの遊技球の入球を防止しつつ、メンテナンス時には内部空間１０３へ容易にアクセスすることが可能になる。
【００４９】
続いて、パチンコ機ＰＭに構成される遊技制御装置２００について図１１を参照しながら説明する。ここで、図１１は遊技制御装置２００の概要を示すブロック図である。この遊技制御装置２００は、主基板５０や、サブ制御基板６０等から構成される（図１１では不図示）。遊技制御装置２００には、始動入賞装置１３、普通図柄作動ゲート１５、普通電動役物１４、第１大入賞装置１６、第２大入賞装置１２０、第２抽選手段１５０のＶ入賞センサ１５９、特別図柄表示装置１１、装飾図柄表示装置１２、普通図柄表示装置１７等が電気的に接続されており、各種検出信号および制御信号の送受信が行われるようになっている。
【００５０】
また、遊技制御装置２００は、各入賞装置への入球（入賞）を判定する入球判定手段２１０と、始動入賞装置１３（通過始動口１３ａ）への遊技球の入賞に基づき特別図柄抽選（第１の抽選）を実行する第１抽選手段２１２と、普通図柄作動ゲート１５での遊技球の通過に基づき普通図柄抽選を実行する第３抽選手段２１４と、特別図柄、装飾図柄、普通図柄の変動表示パターンを保持するパターン記憶手段２１６と、図柄変動における停止図柄および変動表示の表示パターンを決定する図柄決定手段２２０と、図柄等の表示を制御する表示制御手段２３０と、大当たり遊技等の通常遊技よりも遊技者に有利な特別遊技を制御する特別遊技制御手段２４０と、確率変動遊技等の通常遊技よりも遊技者に有利な特定遊技を制御する特定遊技制御手段２６０と、第１大入賞装置１６や第２大入賞装置１２０等の開閉制御を行う開閉制御手段２７０とを備えて構成される。
【００５１】
始動入賞装置１３の入賞検出センサ２３は、始動入賞装置１３への遊技球の入球（入賞）を検出し、第１始動入賞情報を出力する。入球判定手段２１０は、第１始動入賞情報を受信すると遊技球が通過始動口１３ａを通過して始動入賞装置１３に入球したことを判定する。始動入賞装置１３への入球が判定されると、第１抽選手段２１２は、保留球数が上限に達しているか否かを調べる。例えば、保留球数の上限は４つに設定されている。保留球数が上限に達していない場合、入球判定手段２１０が第１始動入賞情報を受信したタイミングで、第１抽選手段２１２は始動入賞に対する乱数を取得する。なお、第１抽選手段２１２は、数学的に乱数を生成して取得してもよく、また図示しないカウンタにより生成されるカウント値を乱数として取得してもよい。このようにして取得した乱数に基づいて、第１抽選手段２１２は特別図柄抽選（第１の抽選）の当否を判定する。なお、抽選の当否判定は、乱数の取得と同時に行われてもよく、また、特別図柄の変動を開始する直前に行われてもよく、所定の抽選ソフトウェアを利用して行われる。抽選乱数が当たりであった場合、第１抽選手段２１２は確率変動付きの当たりであるか否かを決定する。
【００５２】
図柄決定手段２２０における特別図柄決定手段２２２および装飾図柄決定手段２２４は、第１抽選手段２１２による判定結果に応じた停止図柄と、図柄変動の表示パターンとを決定する。停止図柄は、図柄変動の終了時に表示するべき図柄である。パターン記憶手段２１６は、特別図柄や装飾図柄を変動表示させるときの表示パターンとして複数種のパターンを保持する。表示パターンには、通常の外れ図柄を表示するときのパターンと、リーチ状態を経て大当たり図柄を表示するときのパターンとが含まれる。また、リーチ状態を経るときのパターンとして、長短様々な表示時間をもつパターンが含まれる。各表示パターンは、その図柄変動の終了条件として表示時間がそれぞれ定められており、その表示時間が経過すると、図柄変動が停止される。
【００５３】
特別図柄決定手段２２２は、第１抽選手段２１２による抽選結果に応じてパターン記憶手段２１６からいずれかのパターンを選択し、抽選結果に応じた特別図柄の停止図柄を決定する。装飾図柄決定手段２２４は、特別図柄決定手段２２２のより選択された表示パターンに応じたパターンをパターン記憶手段２１６から選択し、抽選結果に応じた特別図柄の停止図柄を決定する。
【００５４】
普通図柄作動ゲート１５には通過検出センサ２５が設けられており、普通図柄作動ゲート１５での遊技球の通過を検出し、第２始動入賞情報を出力するようになっている。入球判定手段２１０は、第２始動入賞情報を受信すると遊技球が普通図柄作動ゲート１５を通過したことを判定する。普通図柄作動ゲート１５の通過が判定されると、第３抽選手段２１４は、第１抽選手段２１２と同様に、保留球数が上限に達しているか否かを調べ、保留球数が上限に達していない場合、入球判定手段２１０が第２始動入賞情報を受信したタイミングで、始動入賞に対する乱数を取得する。このようにして取得した乱数に基づいて、第３抽選手段２１４は普通図柄抽選（第３の抽選）の当否を判定する。なお、抽選の当否判定は、乱数の取得と同時に行われてもよく、また、特別図柄の変動を開始する直前に行われてもよく、所定の抽選ソフトウェアを利用して行われる。
【００５５】
図柄決定手段２２０における普通図柄決定手段２２６は、第３抽選手段２１４による抽選結果に応じてパターン記憶手段２１６からいずれかのパターンを選択し、抽選結果に応じた普通図柄の停止図柄を決定する。普通図柄決定手段２２６により決定された停止図柄が特定の図柄であった場合、開閉制御手段２７０が普通電動役物１４を所定時間だけ拡開作動させる。
【００５６】
表示制御手段２３０は、特別図柄および装飾図柄を変動表示させる第１表示制御手段２３１と、普通図柄を変動表示させる第２表示制御手段２３２とを有して構成される。第１表示制御手段２３１は、特別図柄決定手段２２２において決定された変動パターンおよび停止図柄をもとに、特別図柄表示装置１１に特別図柄を表示させる。また同時に、第１表示制御手段２３１は、装飾図柄決定手段２２４において決定された変動パターンおよび停止図柄をもとに、装飾図柄表示装置１２に装飾図柄を表示させる。第１表示制御手段２３１により特別図柄を表示させる機能は主基板５０側の処理として実行され、装飾図柄を表示させる機能はサブ制御基板６０側の処理として実行される。第２表示制御手段２３２は、普通図柄決定手段２２６において決定された変動パターンおよび停止図柄をもとに、普通図柄表示装置１７に普通図柄を表示させる。
【００５７】
特別遊技制御手段２４０は、２種類の特別遊技を選択的に実行することができる。特別遊技制御手段２４０において、条件保持手段２４２は、２種類の特別遊技の作動条件を保持する。特別遊技実行手段２４８は、所定の作動条件が成立したことに基づいて特別遊技を実行する機能を有する。
【００５８】
条件保持手段２４２における第１条件保持手段２４３は、第１の特別遊技を実行するための条件である第１作動条件を保持している。本実施形態において第１作動条件は、第１表示制御手段２３１により変動表示される特別図柄が特別図柄表示装置１１において所定の図柄で停止されたことに設定される。また、第２条件保持手段２４４は、第２の特別遊技を実行するための条件である第２作動条件を保持している。本実施形態において第２作動条件は、普通電動役物１４に遊技球が入賞（入球）したことに設定される。
【００５９】
特別遊技制御手段２４０における条件判定手段２４６は、遊技情報を監視し、特別遊技への移行条件である第１作動条件または第２作動条件の成立の可否を判定する。また、条件判定手段２４６は、それぞれの作動条件の判定結果をもとに、各種作動フラグのオンまたはオフの設定を行う。
【００６０】
特別遊技実行手段２４８における第１特別遊技実行手段２４９は、第１作動条件が成立すると、第１の特別遊技を実行する。ここで、第１の特別遊技は、第１大入賞装置１６による第１大入賞口１６ａの開閉操作を複数回連続して継続する遊技であり、第１の特別遊技に移行すると、遊技者は特別遊技が行われていることを容易に認識することができるとともに、相当数の賞球を期待することができる。このとき、第１特別遊技実行手段２４９は、開閉制御手段２７０に第１大入賞口１６ａの開閉制御を行わせる。開閉制御手段２７０は、第１の特別遊技中、第１大入賞装置１６の第１大入賞口ソレノイド２６に開放作動信号（もしくは、閉鎖作動信号）を出力し、第１大入賞口１６ａを開放（もしくは、閉鎖）させる。
【００６１】
特別遊技実行手段２４８における第２特別遊技実行手段２５０は、第２作動条件が成立すると、第２の特別遊技を実行する。ここで、第２の特別遊技は、第１段階と第２段階の２段階に分けられる。第１段階では、第２特別遊技実行手段２５０は、開閉制御手段２７０に第２大入賞口１２２を所定時間だけ開放する制御を行わせる。このとき、開閉制御手段２７０は、開閉装置１３０の第２大入賞口ソレノイド１３２に開放作動信号を出力し、開閉扉１３１を揺動させて第２大入賞口１２２を開放させる。さらに、第１段階において、第２抽選手段１５０のＶ入賞センサ１５９からＶ入賞情報を受信すると、第２段階に移行する。なお、Ｖ入賞情報は、Ｖ入賞センサ１５９が特別入賞口１５６の遊技球の通過を検出したときに、Ｖ入賞センサ１５９から出力される。
【００６２】
第２の特別遊技における第２段階は、第１大入賞装置１６による第１大入賞口１６ａの開閉操作を複数回連続して継続する段階であり、第２段階に移行すると、遊技者は、第１の特別遊技と同様に、相当数の賞球を期待することができる。このとき、第２特別遊技実行手段２５０は、開閉制御手段２７０に第１大入賞口１６ａの開閉制御を行わせる。開閉制御手段２７０は、第２段階の間、第１大入賞装置１６の第１大入賞口ソレノイド２６に開放作動信号（もしくは、閉鎖作動信号）を出力し、第１大入賞口１６ａを開放（もしくは、閉鎖）させる。
【００６３】
特別遊技制御手段２４０における作動回避手段２５２は、第１作動条件および第２作動条件のいずれか一方の作動条件が成立したとき、他方の作動条件の成立を回避させる機能を有する。本実施形態おいて、第２作動条件の成立は、第２の特別遊技の第１段階への移行条件が成立したことを示し、第１段階および第２段階を通して第２の特別遊技が続く限り第２作動条件が成立しているものとする。したがって、第２作動条件の成立中であって、第２の特別遊技における第１段階または第２段階が実行されている間は、第１作動条件の成立が回避される。一方、第１作動条件の成立中は、第２作動条件の成立が回避されるので、第２の特別遊技における第１段階および第２段階のいずれも実行されない。
【００６４】
特定遊技制御手段２６０は、特別遊技とは異なる遊技者に有利な特定遊技、例えば確率変動遊技の実行を制御する。本実施形態において、当たり抽選は、第１抽選手段２１２による特別図柄抽選（第１の抽選）と、第３抽選手段２１４による普通図柄抽選（第３の抽選）の２種類が存在しており、それぞれの図柄抽選に対して確率変動遊技が設定可能とされる。
【００６５】
特定遊技制御手段２６０における第１特定遊技実行手段２６２は、第１抽選手段２１２による抽選結果に基づいて、特別図柄の確率変動遊技を実行する。例えば、特別図柄の停止図柄が奇数であるときに、第１の特別遊技の終了後、特別図柄の確率変動遊技が実行される。なお、特別図柄の確率変動遊技における当たりの割合は、通常遊技のときよりも高く設定される。また、第２特定遊技実行手段２６４は、特別図柄の確率変動遊技が実行されたことを契機として、普通図柄の確率変動遊技を実行する。なお、普通図柄の確率変動遊技における当たりの割合は、通常遊技のときよりも高く設定される。
【００６６】
以上のように構成されるパチンコ機ＰＭにおいて、前述したように、第２抽選手段１５０が、遊技球が通過すると特別遊技実行手段２４８が作動する特別入賞口１５６と、内部空間１０３に入球した遊技球を遊技盤１０の裏面側に排出するための球排出口１５１と、内部空間１０３に入球した遊技球を特別入賞口１５６もしくは球排出口１５１のいずれか一方に導く振り分け装置１６０とを有して、センター役物１００の内部空間１０３に設けられている。また、このようにして内部空間１０３に第２抽選手段１５０が設けられたセンター役物１００の左周部に、第２入賞口１２２を所定の契機に応じて開閉可能な開閉装置１３０（開閉扉１３１）が設けられている。
【００６７】
そのため、開閉装置１３０（開閉扉１３１）により第２入賞口１２２が開放されたときに第２の抽選を行うことが可能となり、第１抽選手段２１２を用いた第１の遊技（抽選）と第２抽選手段１５０を用いた第２の遊技（抽選）とをそれぞれ独立して行うことができる。従って、２種類の遊技を効果的に組み合わせることが可能となり、それぞれの遊技によってもたらされるべき遊技性を十分に発揮させることができるため、遊技性を向上させることが可能になる。なお、第１の抽選が所定の抽選ソフトウェアを利用して行われ、第２の抽選が第２大入賞口１２２を通過し内部空間１０３に入球した遊技球を利用して機械的に行われるため、異なる種類の抽選（遊技）を行うことが可能となり、遊技性をさらに向上させることができる。
【００６８】
また、第２抽選手段１５０が、遊技球が通過すると特別遊技実行手段２４８が作動する特別入賞口１５６と、内部空間１０３に入球した遊技球を遊技盤１０の裏面側に排出するための球排出口１５１と、内部空間１０３に入球した遊技球を特別入賞口１５６もしくは球排出口１５１のいずれか一方に導く振り分け装置１６０とを有して、センター役物１００の内部空間１０３に設けられることで、機械的な抽選を行う第２抽選手段１５０を省スペースで遊技盤１０に設けることができる。
【００６９】
さらに、振り分け装置１６０が、内部空間１０３に左右へ延びるように設けられた第２ステージ部１６１と、第２ステージ部１６１の前面壁部に回転自在に取り付けられた左右の回転体１７１，１７６とを備えて構成されることで、振り分け装置１６０の構造をシンプルにすることができ、第２抽選手段１５０の省スペース化が可能になる。
【００７０】
そして、このように構成されるパチンコ機ＰＭは、図１に示すように、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００７１】
遊技球が通過始動口１３ａを通過して始動入賞装置１３に入賞すると、第１抽選手段２１２により所定の抽選ソフトウェアを利用した特別図柄抽選（第１の抽選）が行われ、特別図柄表示装置１１および演出図柄表示装置１２において特別図柄および装飾図柄が所定時間だけ変動表示される。変動停止時の特別図柄が大当たりを示す図柄である場合、第１の特別遊技に移行する。特別図柄が大当たりの図柄で停止するとき、演出図柄表示装置１２の表示面１２ａには、例えば、スロットマシンの図柄表示を模した装飾図柄が３つの図柄を一致させるような表示態様を有して表示される。
【００７２】
またこのとき、例えば、演出図柄表示装置１２のサブ表示面１２ｂに所定の発光制御画像を表示させ、サブ表示面１２ｂからの表示光を第２抽選手段１５０の第２ステージ部１６１に透過させることで第２ステージ部１６１を発光させるようにしてもよい。これにより、演出効果を高めることができる。
【００７３】
第１の特別遊技においては、第１大入賞装置１６の作動により第１大入賞口１６ａが開放される。そして、第１大入賞口１６ａが約３０秒間開放された後、または９球以上の遊技球が第１大入賞口１６ａを通過して第１大入賞装置１６に入賞した後、第１大入賞口１６ａが一旦閉鎖され、このような開閉動作が所定回数継続して繰り返される。
【００７４】
なお、遊技球がセンター役物１００のステージ開口１０７を通過して前部空間１０４に入球した場合には、前部空間１０４に入球した遊技球は、第１ステージ部１０５の上を一時的に停留するように左右へ転がり移動し、ステージ傾斜部１０６から始動入賞装置１３へ向けて落下する。これにより、始動入賞装置１３に入賞する期待感を向上させている。
【００７５】
さて、遊技球が普通図柄作動ゲート１５を通過すると、第３抽選手段２１４により所定の抽選ソフトウェアを利用した普通図柄抽選（第３の抽選）が行われ、普通図柄表示装置１７において普通図柄が所定時間だけ変動表示される。なお、普通図柄は、例えば、演出図柄表示装置１２における表示面１２ａの隅の方に（装飾図柄とは別に）変動表示させてもよく、他の表示装置において変動表示させるようにしてもよい。そして、変動停止時の普通図柄が所定の図柄（当たりを示す図柄）である場合、普通電動役物１４が所定時間だけ開放される。
【００７６】
開放された普通電動役物１４に遊技球が入賞（開放始動口１４ａを通過）すると、第２の特別遊技における第１段階に移行し、開閉装置１３０の作動により開閉扉１３１が開放され、第２入賞口１２２が所定時間だけ開放状態となる。このようにして、第２抽選手段１５０による第２の抽選に関連する遊技性を向上させている。
【００７７】
遊技球が第２入賞口１２２を通過して第２大入賞装置１２０に入賞すると、センター役物１００内の第２抽選手段１５０において遊技球を利用した機械的な第２の抽選が行われる。第２入賞口１２２を通過した遊技球は、図７に示すように、入賞装置本体１２１内を落下した後、センター役物１００の開口１０１から導入通路１０２を通過して第２抽選手段１５０の第２ステージ部１６１に達する。
【００７８】
第２ステージ部１６１に達した遊技球は、図４および図６に示すように、第２ステージ部１６１の上の球通過部１６２を転がり移動し、球通過部１６２に形成される各傾斜部１６３，１６４，１６５のいずれかを通過して第２ステージ部１６１から落下する。左傾斜部１６４および右傾斜部１６５から落下した遊技球は、図８および図９に示すように、球排出口１５１を通過して球排出通路１５２を転がり移動し、裏排出口１５３から遊技盤１０の裏面側に排出される。
【００７９】
中央傾斜部１６３（入賞落下位置）から落下した遊技球は、左回転体１７１および右回転体１７６が非入賞位置に回転変位している場合には、左回転体１７１と右回転体１７６との間隙部を通過して球排出口１５１へ落下する。そして、左回転体１７１と右回転体１７６との間隙部を通過した遊技球は、球排出口１５１を通過して球排出通路１５２を転がり移動し、裏排出口１５３から遊技盤１０の裏面側に排出される。なお、回転駆動装置１８０により、左回転体１７１は前方から見て時計回りに回転するとともに、右回転体１７６は前方から見て反時計回りに回転しており、左回転体１７１および右回転体１７６は、非入賞位置と入賞可能位置とに交互選択的に回転変位している。
【００８０】
一方、図４および図６に示すように、左回転体１７１および右回転体１７６が入賞可能位置に回転変位している場合には、中央傾斜部１６３（入賞落下位置）から落下した遊技球は、例えば、上述の間隙部を塞ぐ第１左羽根部１７３および第１右羽根部１７８で受け止められて支持される。そして、第１左羽根部１７３および第１右羽根部１７８に支持された遊技球は、前方に転がり移動して第１左羽根部１７３および第１右羽根部１７８から落下し特別入賞口１５６を通過する。遊技球が特別入賞口１５６を通過すると、第２の特別遊技における第２段階に移行し、第１の特別遊技と同様に、第１大入賞装置１６の作動による第１大入賞口１６ａの開閉動作が所定回数継続して繰り返される。
【００８１】
なおこのとき、例えば、演出図柄表示装置１２のサブ表示面１２ｂに所定の発光制御画像を表示させ、サブ表示面１２ｂからの表示光を第２抽選手段１５０の第２ステージ部１６１に透過させることで第２ステージ部１６１を発光させるようにしてもよい。これにより、演出効果を高めることができる。
【００８２】
なお、第２左羽根部１７４および第２右羽根部１７９が左回転体１７１と右回転体１７６との間隙部を塞ぐ場合にも、第１左羽根部１７３および第１右羽根部１７８の場合と同様なことを行うことが可能であるが、第２左羽根部１７４および第２右羽根部１７９は、第１左羽根部１７３および第１右羽根部１７８よりも幅が狭いため、遊技球を受け止めることができるタイミングが難しくなる。
【００８３】
ところで、第２ステージ部１６１の左傾斜部１６４および右傾斜部１６５から落下した遊技球は、各回転体の左胴部１７１および右胴部１７６の近傍を通過可能に構成されている。例えば、左傾斜部１６４の右端近傍から落下した遊技球は、左胴部１７２の左方を通過する。このとき、図４および図６に示すように、左胴部１７２の左端側に第１左羽根部１７３が変位している場合には、左傾斜部１６４の右端近傍から落下した遊技球は、第１左羽根部１７３で受け止められて支持される。
【００８４】
また、第１左羽根部１７３は、左胴部１７２の右端側（すなわち、各回転体同士の間隙部を閉鎖する位置）に変位した状態で前方へ向かうにつれて下方へ傾斜し、前方から見て時計回りに（下方へ向けて）回転変位するように構成されており、左胴部１７２の左端側（すなわち、各回転体同士の間隙部と反対側）に回転変位した状態では、反転して前方へ向かうにつれて上方へ傾斜し、且つ上方へ向けて変位する状態となる。そのため、左胴部１７２の左端側に位置する第１左羽根部１７３に支持された遊技球は、第２ステージ部１６１の前面壁部に転がり移動して当接し、前方へ落下しにくい状態となる。
【００８５】
このようにして遊技球が第１左羽根部１７３に支持された状態で、左回転体１７１が前方から見て時計回りに９０度回転すると、第１左羽根部１７３は左胴部１７２の上端側に傾斜しつつ回転変位するとともに、第１左羽根部１７３に対し９０度回転した位置に（隣接して）設けられた第２左羽根部１７４の一つは、左胴部１７２の右端側に回転変位する。一方、左回転体１７１と対称に設けられた右回転体１７６は、前方から見て反時計回りに回転し、第２右羽根部１７９の一つが右胴部１７７の左端側に回転変位して、第２左羽根部１７４とともに左回転体１７１と右回転体１７６との間隙部を塞ぐ。すなわち、左回転体１７１および右回転体１７６は入賞可能位置に回転変位することになる。
【００８６】
そのため、左回転体１７１が前方から見て時計回りに９０度回転すると、第１左羽根部１７３に支持された遊技球は、重力の作用により左回転体１７１と右回転体１７６との間隙部へ向けて転がり移動し、第２左羽根部１７４および第２右羽根部１７９で受け止められて支持される。そして、第２左羽根部１７４および第２右羽根部１７９に支持された遊技球は、前方に転がり移動して第２左羽根部１７４および第２右羽根部１７９から落下し特別入賞口１５６を通過する。
【００８７】
これにより、中央傾斜部１６３（入賞落下位置）以外から落下した遊技球を特別入賞口１５６へ導くことができ、遊技性を向上させることができる。なお、右傾斜部１６５の左端近傍から遊技球が落下して、右胴部１７７の右方を通過する場合にも同様なことを行うことが可能であるが、説明を省略する。また、第２左羽根部１７４もしくは第２右羽根部１７９でも遊技球を受け止めて同様なことを行うことが可能であるが、第２左羽根部１７４および第２右羽根部１７９は、第１左羽根部１７３および第１右羽根部１７８よりも幅が狭いため、遊技球を受け止めることができるタイミングが難しくなる。
【００８８】
なお、図１２の２点鎖線で示すように、左胴部１７２および右胴部１７７の外周部上端の位置を、第２ステージ部１６１の球通過部１６２の位置よりも高くするようにしてもよい。このようにすれば、第２ステージ部１６１の中央傾斜部１６３（入賞落下位置）以外から落下していずれかの羽根部で受け止められた遊技球を球通過部１６２へ戻すことができる。
【００８９】
なお、中央傾斜部１６３（入賞落下位置）以外から落下して、左右の回転体１７１，１７６に当接する等して第３ステージ部１５７の上部に達した遊技球は、第３ステージ部１５７の上部が球排出口１５１へ向けて下方に傾斜しているため、特別入賞口１５６に到達することなく球排出口１５１へ落下する。また、図９に示すように、第３ステージ部１５７の前部にカバー部材１９０が取り付けられているため、第３ステージ部１５７の上部に達した遊技球が前部空間１０４へ落下することが防止される。さらに、カバー部材１９０の上端には天井部１９１が形成されているため、内部空間１０３から前部空間１０４への遊技球の落下が防止され、さらに、前部空間１０４から内部空間１０３への遊技球の入球がより確実に防止される。
【００９０】
以上に説明した本発明の実施形態において、達成される主要な効果を整理すれば、下記のようになる。
【００９１】
第１に、第２入賞口１２２を開閉可能な（すなわち、第２入賞口１２２に対する遊技球の通過を許可および規制可能な）開閉装置１３０（開閉扉１３１）を備えて構成されるため、開閉装置１３０（開閉扉１３１）により第２入賞口１２２が開放された（すなわち、第２入賞口１２２に対する遊技球の通過が許可された）ときに、センター役物１００の内部空間１０３に設けられた第２抽選手段１５０による（第２の）抽選を行うことが可能となり、第１抽選手段２１２を用いた第１の遊技（抽選）と第２抽選手段１５０を用いた第２の遊技（抽選）とをそれぞれ独立して行うことができる。従って、開閉装置１３０の作動により２種類の遊技を効果的に組み合わせることが可能となり、それぞれの遊技によってもたらされるべき遊技性を十分に発揮させることができるため、遊技性を向上させることが可能になる。また、開閉装置１３０（開閉扉１３１）の開閉により、第２の抽選に関連する遊技性を向上させることができる。
【００９２】
第２に、特別遊技実行手段２４８が第１大入賞装置１６を有して構成されることで、第１大入賞装置１６の開放作動により特別遊技が行われていることを遊技者が容易に認識することができる。
【００９３】
第３に、遊技球が普通電動役物１４の開放始動口１４ａを通過すると、開閉装置１３０（第２大入賞装置１２０）により第２大入賞口１２２を所定時間だけ開放させる制御を行うように構成されることで、第２の抽選に関連する遊技性を向上させることができる。
【００９４】
第４に、第１の抽選が所定の抽選ソフトウェアを利用して行われ、第２の抽選が第２大入賞口１２２を通過し内部空間１０３に入球した遊技球を利用して機械的に行われることで、異なる種類の抽選（遊技）を行うことが可能となり、遊技性をさらに向上させることができる。
【００９５】
第５に、第２抽選手段１５０が、遊技球が通過すると特別遊技実行手段２４８が作動する特別入賞口１５６と、内部空間１０３に入球した遊技球を遊技盤１０の裏面側に排出するための球排出口１５１と、内部空間１０３に入球した遊技球を特別入賞口１５６もしくは球排出口１５１のいずれか一方に導く振り分け装置１６０とを有して、センター役物１００の内部空間１０３に設けられることで、機械的な抽選を行う第２抽選手段１５０を省スペースで遊技盤１０に設けることができる。
【００９６】
第６に、振り分け装置１６０が、内部空間１０３に左右へ延びるように設けられた第２ステージ部１６１と、第２ステージ部１６１の前面壁部に回転自在に取り付けられた左右の回転体１７１，１７６とを備えて構成されることで、振り分け装置１６０の構造をシンプルにすることができ、第２抽選手段１５０の省スペース化が可能になる。
【００９７】
第７に、第２ステージ部１６１が、第２ステージ部１６１の上部に左右へ延びる波面状に形成された球通過部１６２と、波面状の球通過部１６２に形成される複数の谷部にそれぞれ設けられた複数の傾斜部１６３，１６４，１６５とを有し、複数の傾斜部の一つである中央傾斜部１６３が入賞落下位置に位置するように構成されることで、遊技球を利用した第２の抽選の展開を明快にすることができる。
【００９８】
第８に、回転体が第２ステージ部１６１の前面壁部に左右対称に設けられた左回転体１７１および右回転体１７８からなり、左回転体１７１および右回転体１７８がそれぞれ、前後に延びる円柱状の胴部（左胴部１７２および右胴部１７７）と、胴部の外周部に設けられた複数の羽根部（第１左羽根部１７３および第１右羽根部１７８）とを有し、胴部の中心を回転軸として回転自在に構成されることで、回転体の構造をシンプルにすることができる。
【００９９】
第９に、左回転体１７１が前方から見て時計回りに回転するとともに、右回転体１７６が前方から見て反時計回りに回転し、各羽根部（第１左羽根部１７３および第１右羽根部１７８、もしくは、第２左羽根部１７４および第２右羽根部１７９）が前後に延びる板状に形成されて（各回転体１７１，１７６同士の）間隙部を閉鎖する位置では前方へ向かうにつれて下方へ傾斜するように構成されることで、各回転体１７１，１７８の回転により、上述の間隙部と反対側の位置では、各羽根部は前方へ向かうにつれ上方へ傾斜し、且つ上方へ向けて変位する状態となる。
【０１００】
そのため、中央傾斜部１６３（入賞落下位置）以外（例えば、左傾斜部１６４の右端近傍）から落下した遊技球が間隙部と反対側に位置する羽根部（例えば、第１左羽根部１７３）で受け止められると、第２ステージ部１６１の前面壁部に転がり当接し、球排出口１５１へ落下しにくい状態となる。各回転体１７１，１７８の回転により羽根部が上方へ回転変位し傾斜すると、羽根部で受け止められていた遊技球は、（各回転体１７１，１７８同士の）間隙部へ向けて転がり移動する。このとき、回転方向に隣接する羽根部（例えば、第２左羽根部１７４および第２右羽根部１７９）が間隙部を閉鎖している場合には、（各回転体１７１，１７８同士の）間隙部へ向けて転がり移動する遊技球は、間隙部を閉鎖する羽根部で受け止められて支持され、前方に転がり移動して特別入賞口１５６へ落下する。このようにして、中央傾斜部１６３（入賞落下位置）以外から落下した遊技球を特別入賞口１５６へ導くことができ、遊技性を向上させることができる。
【０１０１】
第１０に、開閉装置１３０の開閉扉１３１が第２大入賞口１２２を揺動開閉可能な羽根状に形成され、開閉扉１３１を開放すると遊技球が第２大入賞口１２２に対し通過容易となるように構成されることで、このような開閉装置１３０を備える装置を第２大入賞装置１２０として作動させることが可能となり、２つの大入賞装置を省スペースで遊技領域１０に設けることができる。
【０１０２】
第１１に、センター役物１００に、内部空間１０３における第２抽選手段１５０の前面側を覆うカバー部材１９０が設けられるため、内部空間１０３（第２抽選手段１５０）に対する第２大入賞口１２２以外からの遊技球の入球を防止することができ、第２抽選手段１５０による遊技球を利用した機械的な（第２の）抽選を確実に行うことができる。
【０１０３】
第１２に、カバー部材１９０を用いてセンター役物１００の内部空間１０３と前部空間１０４とが仕切られるように構成されることで、第１の抽選に関連する第１ステージ部１０５と、遊技球を利用して機械的な第２の抽選を行う第２抽選手段１５０とを互いに独立した状態でセンター役物１００に設けることができる。
【０１０４】
第１３に、カバー部材１９０の上端の高さ位置が、第２ステージ部１６１の上端の高さ位置とほぼ一致するように構成されることで、内部空間１０３（第２抽選手段１５０）に対する第２大入賞口１２２以外からの遊技球の入球を防止しつつ、メンテナンス時には内部空間１０３へ容易にアクセスすることが可能になる。
【０１０５】
第１４に、カバー部材１９０の上部に、前部空間１０４の上部を覆う天井部１９１が形成されることで、前部空間１０４から内部空間１０３への遊技球の入球をより確実に防止することができる。
【０１０６】
第１５に、カバー部材１９０を透明もしくは半透明にすることで、前部空間１０４およびカバー部材１９０を通じて内部空間１０３に設けられた第２抽選手段１５０を視認することができる。
【０１０７】
第１６に、第２ステージ部１６１に覆われたサブ表示面１２ｂに所定の発光制御画像を表示させて、第２ステージ部１６１を発光させるように構成されることで、装飾図柄表示装置１２による発光制御画像の表示を制御することで第２ステージ部１６１を所望の色模様で発光させることが可能となり、第２ステージ部１６１の発光による演出効果を高めることができる。また、装飾図柄表示装置１２により別途ランプ等を用いることなく第２ステージ部１６１を発光させることができるため、部品点数を減少させることが可能となり、パチンコ機ＰＭの製造コストを低減させることができる。
【０１０８】
第１７に、第２ステージ部１６１を透明もしくは半透明にすることで、第２ステージ部１６１全体を光透過部として機能させることができるため、装飾図柄表示装置１２により第２ステージ部１６１全体を発光させることが可能となり、演出効果をより高めることができる。
【０１０９】
なお、上述の実施形態において、遊技球が第２抽選手段１５０の特別入賞口１５６を通過したときに、開閉装置１３０（開閉扉１３１）により第２大入賞口１２２を（普通電動役物１４に入賞したときよりも長い）所定時間だけ開放するようにしてもよい。すなわち、第２の抽選の結果に基づいて、開閉装置１３０により第２大入賞口１２２を開閉させる制御を行うようにしてもよい。
【０１１０】
また、上述の実施形態において、振り分け装置１６０が、内部空間１０３に左右へ延びるように設けられた第２ステージ部１６１と、第２ステージ部１６１の前面壁部に回転自在に取り付けられた左右の回転体１７１，１７６とを備えて構成されているが、これに限られるものではない。例えば、詳細図示しないが、振り分け装置は、内部空間に入球した遊技球が転がり移動可能な球通過部と、特別入賞口を変位させることが可能な変位装置とを備え、この変位装置により特別入賞口が所定通過可能位置に変位したときに、球通過部を転がり移動する遊技球が特別入賞口を通過可能に構成されてもよい。このようにしても、振り分け装置の構造をシンプルにすることができ、第２抽選手段の省スペース化が可能になる。なお、球通過部には、例えば、本実施形態における球通過部１６２等がある。また、変位装置には、例えば、クルーンとも称される特別入賞口を回転変位させることが可能な回転装置等がある。
【０１１１】
さらに、上述の実施形態において、第１の抽選が所定の抽選ソフトウェアを利用して行われ、第２の抽選が内部空間１０３に入球した遊技球を利用して機械的に行われているが、これに限られるものではなく、第１の抽選が機械的に行われてもよく、第２の抽選が所定の抽選ソフトウェアを利用して行われてもよい。さらに、第１および第２の抽選を、機械的な抽選およびソフトウェアを利用した抽選を組み合わせて行うようにしてもよい。
【０１１２】
また、上述の実施形態において、いわゆる第１種および第２種ぱちんこ遊技機を組み合わせた構成を用いて説明しているが、これに限られるものではなく、例えば、第１種および第３種ぱちんこ遊技機を組み合わせた構成を用いてもよく、また、第１種ぱちんこ遊技機（もしくは、第２種あるいは第３種ぱちんこ遊技機）同士を互いに２つ組み合わせた構成を用いてもよい。
【０１１３】
さらに、上述の実施形態において、普通電動役物１４に遊技球が入賞（開放始動口１４ａを通過）すると、開閉装置１３０の作動により開閉扉１３１が開放されて第２大入賞口１２２が所定時間だけ開放状態となるように構成されているが、これに限られるものではなく、例えば、遊技球の入賞に関係なく所定時間毎に、開閉扉１３１（第２大入賞口１２２）を開閉させるようにしてもよい。
【０１１４】
また、上述の実施形態において、センター役物１００の左周部に、第２大入賞口１２２および開閉扉１３１が設けられているが、これに限られるものではなく、例えば、センター役物１００の右周部に設けられてもよく、遊技球が入球可能なセンター役物１００の周部に設けられていればよい。
【０１１５】
さらに、上述の実施形態において、センター役物１００の左周部に、第２入賞口１２２を開閉可能な開閉扉１３１を有する開閉装置１３０が設けられているが、これに限られるものではない。例えば、シャッター部材を用いて第２入賞口１２２を開閉させるようにしてもよく、また例えば、遊技領域ＰＡにおける第２入賞口１２２の近傍に出没可能なピン部材（もしくは、釘部材）を配置し、このピン部材を遊技盤１０上に突出させることで第２入賞口１２２に対する遊技球の通過を規制（および、ピン部材を遊技盤１０側に没入させることで遊技球の通過を許可）するようにしてもよく、第２入賞口１２２に対する遊技球の通過を許可および規制可能な通過規制装置が用いられていればよい。
【０１１６】
また、上述の実施形態において、カバー部材１９０の上端の高さ位置が、第２ステージ部１６１の上端の高さ位置とほぼ一致するように構成されているが、これに限られるものではなく、カバー部材１９０の上端の高さ位置を内部空間１０３の上端の高さ位置に一致させて、カバー部材１９０により内部空間１０３の前部を塞ぐようにしてもよい。すなわち、カバー部材１９０の高さは、第２抽選手段１５０の前面側を覆うことができる高さであればよい。さらに、カバー部材１９０の上端部形状を、第２ステージ部１６１の球通過部１６２の形状に合わせて波面状に形成するようにしてもよい。このようにすれば、見る角度によって第２抽選手段１５０の構成部品（各回転体１７１，１７６や特別入賞口１５６等）が見えにくくなることが防止され、内部空間１０３の視認性をより向上させることができる。
【０１１７】
さらに、上述の実施形態において、第２ステージ部１６１が透明もしくは半透明に構成されているが、これに限られるものではなく、第２ステージ部１６１の一部に、サブ表示面１２ｂからの表示光を透過可能な光透過部を形成するようにしてもよい。
【０１１８】
また、上述の実施形態において、第２ステージ部１６１に覆われた装飾図柄表示装置１２のサブ表示面１２ｂに所定の発光制御画像を表示させることで、第２ステージ部１６１を発光させるように構成されているが、これに限られるものではない。例えば、図柄表示装置の表示面の一部を飾り部材で覆い、覆われた部分に発光制御画像を表示させて飾り部材を発光させるようにしてもよく、また、シール部材を図柄表示装置の表示面の一部に貼り付け、貼り付けた部分に発光制御画像を表示させてシール部材を発光させるようにしてもよい。
【０１１９】
さらに、上述の実施形態において、左回転体１７１（右回転体１７６）が、第１左羽根部１７３（第１右羽根部１７８）と、第１左羽根部１７３より幅の狭い第２左羽根部１７４（第２右羽根部１７９）とを有して構成されているが、これに限られるものではなく、同じ大きさの羽根部を有して構成されてもよい。
【０１２０】
また、上述の実施形態において、左回転体１７１（右回転体１７６）が、２つの第１左羽根部１７３（第１右羽根部１７８）および第２左羽根部１７４（第２右羽根部１７９）からなる４つの羽根部を有して構成されているが、これに限られるものではなく、例えば、３つや、５つの羽根部を有して構成されてよく、複数の羽根部を有して構成されていればよい。また、複数の羽根部が設けられる間隔は等間隔でなくてもよい。
【０１２１】
次に、パチンコ機の第二実施形態について図１３〜図１５を参照しながら説明する。ここで、図１３は第二実施形態のパチンコ機に構成される遊技盤３１０の正面図、図１４は第二実施形態のパチンコ機に構成されるセンター役物３５０の正面図、そして図１５は第二実施形態のパチンコ機に構成される遊技制御装置４００の概要を示すブロック図である。なお、本実施形態のパチンコ機は、上述した第一実施形態のパチンコ機ＰＭにおける遊技盤１０および遊技制御装置２００の装置構成のみ異なり、他の装置構成は同様であるため全体図示および重複説明を省略する。
【０１２２】
第二実施形態のパチンコ機は、詳細図示しないが、第一実施形態のパチンコ機ＰＭに構成される遊技盤１０の代わりに、図１３に示す遊技盤３１０を第一実施形態の前枠２における収容枠に装着したものである。この遊技盤３１０の正面には、第一実施形態の遊技盤１０と同様に、遊技領域ＰＡ２が形成されている。
【０１２３】
第二実施形態における遊技盤３１０の遊技領域ＰＡ２には、図１３に示すように、図示しない遊技釘や風車３１１が複数配設され、遊技領域ＰＡ２の中央部近傍には、第１図柄表示装置３１２や第２図柄表示装置３１３が取り付けられたセンター役物３５０が配設される。また、遊技領域ＰＡ２の下部には、センター役物３５０の下方に隣接して振り分け装置３８０が配設されている。振り分け装置３８０の左方には、通過始動口３１４ａを有する始動入賞装置３１４が設けられ、遊技球が通過始動口３１４ａを通過すると、始動入賞装置３１４内に設けられた入賞検出センサ３２４（図１５を参照）に検出されて遊技盤３１０の裏面側へ排出されるようになっている。
【０１２４】
また、振り分け装置３８０の右方には、大入賞口３１５ａを開閉可能な大入賞装置３１５が設けられる。大入賞装置３１５は、大入賞口３１５ａを開閉可能な入賞装置であり、特別遊技中に大入賞口ソレノイド３２５（図１５を参照）を用いて大入賞口３１５ａを開放し、遊技球を大入賞口３１５ａに対し通過容易にする。すなわち、大入賞口３１５ａが閉鎖状態にあるときには、遊技球は大入賞口３１５ａを通過することができず、大入賞口３１５ａが開放状態になったときに、遊技球が大入賞口３１５ａを通過することができる。遊技球が大入賞口３１５ａを通過すると、大入賞装置３１５内に設けられた入賞検出センサ３２６（図１５を参照）に検出されて遊技盤３１０の裏面側へ排出されるようになっている。
【０１２５】
遊技領域ＰＡ２の上部には、普通入賞口３１６ａを有する複数の普通入賞装置３１６が設けられ、遊技球が普通入賞口３１６ａを通過すると、普通入賞装置３１６内に設けられた入賞検出センサ（図示せず）に検出されて遊技盤３１０の裏面側へ排出されるようになっている。普通入賞装置３１６の下方には、センター役物３５０の上方に隣接して普通電動役物３３０が配設されている。また、センター役物３５０の左上方に隣接して、図示しない開放始動口を有する始動ゲート３１７が設けられており、始動ゲート３１７（開放始動口）を遊技球が通過すると普通電動役物３３０が拡開作動するようになっている。
【０１２６】
さらに、センター役物３５０の右上方に隣接して、上部に右入賞口３１８ａを有する回転型入賞装置３１８が設けられており、図１４に示すように、遊技球が右入賞口３１８ａを通過して回転型入賞装置３１８内の大入賞装置作動口３１８ｂに導かれると、入賞検出センサ３２８（図１５を参照）に検出されて遊技盤３１０の裏面側へ排出されるようになっている。また、遊技領域ＰＡ２の下端には、各入賞装置に入賞せずに落下した遊技球を遊技盤３１０の裏面側へ排出させるアウト口３１９が設けられている。
【０１２７】
普通電動役物３３０は、図１４に示すように、遊技盤３１０の前面に取り付けられたベース部材３３１と、ベース部材３３１に拡開自在に取り付けられた左右の可変翼部材３３２とを主体として構成され、遊技球が始動ゲート３１７を通過すると、図示しないソレノイド装置により可変翼部材３３２が拡開作動を行うようになっている。なお、普通電動役物３３０の直上部には、規制釘（図示せず）が設けられており、可変翼部材３３２が拡開した場合にのみ遊技球が普通電動役物３３０（ベース部材３３１）の内部に入球できるようになっている。
【０１２８】
ベース部材３３１の上部には入賞入口３３３が設けられるとともに、ベース部材３３１の下部には入賞出口３３４が設けられ、入賞入口３３３を通過してベース部材３３１の内部へ落入した遊技球は、ベース部材３３１の内部を流下した後、入賞出口３３４を通過してセンター役物３５０へ流下するようになっている。なお、普通電動役物３３０の内部へ落入した遊技球は、入賞検出センサ３３５（図１５を参照）で検出されるようになっている。
【０１２９】
センター役物３５０は、図１４に示すように、樹脂材料を用いて射出成形等により一体的に形成された種々の構成部品からなり、遊技盤３１０の中央前面側に取り付けられる。センター役物３５０の中央上部には、後述する第１抽選手段４１２による抽選（以下、第１の抽選と称する）の結果に基づいて第１の図柄（図示せず）を変動表示する第１図柄表示装置３１２が取り付けられる。また、センター役物３５０の左右には、後述する第３抽選手段４１４による抽選（以下、第３の抽選と称する）の結果に基づいて第２の図柄（図示せず）を変動表示する第２図柄表示装置３１３，３１３が取り付けられる。センター役物３５０の中央上端部には入球口３５１が形成されており、普通電動役物３３０の入賞出口３３４を通過した遊技球が、この入球口３５１を通過してセンター役物３５０の内部へ流下するようになっている。なお、入球口３５１の上部は普通電動役物３３０で覆われており、普通電動役物３３０の入賞出口３３４を通過した遊技球のみが入球口３５１を通過できるようになっている。
【０１３０】
センター役物３５０の内部には、入球口３５１と繋がる球流下通路３５２が設けられており、入球口３５１を通過した遊技球が球流下通路３５２を流下するようになっている。球流下通路３５２は、センター役物３５０の左右内周部に沿って形成されており、図１４の二点鎖線で示すように、入球口３５１を通過して球流下通路３５２に達した遊技球は、球流下通路３５２の左右いずれか一方を流下してセンター役物３５０の内部下方に形成された内部空間３５３へ達するようになっている。
【０１３１】
内部空間３５３は、センター役物３５０の内部下方に前面が開口する略直方体形に形成され、この内部空間３５３には、遊技球を利用した機械的な抽選を行う第２抽選手段３６０が設けられている。第２抽選手段３６０は、内部空間の後部に設けられた振り分け板３６１と、振り分け板３６１の前面側に回転自在に取り付けられた回転体３７０とを備えて構成される。振り分け板３６１の下部には、入賞通過口３６２と、入賞通過口３６２の左側に位置する左通過口３６３と、入賞通過口３６２の右側に位置する右通過口３６４とが形成されており、センター役物３５０の内部空間３５３に達した遊技球がこれらの通過口３６２，３６３，３６４のうちいずれか一つを通過するようになっている。
【０１３２】
入賞通過口３６２は、振り分け板３６１の下部裏面側に形成される中央球通路３６５に繋がっており、入賞通過口３６２を通過して中央球通路３６５へ流下した遊技球は、振り分け装置３８０へ導かれるようになっている。左通過口３６３は、中央球通路３６５の左側に隣接する左球通路３６６に繋がっており、左通過口３６３を通過して左球通路３６６へ流下した遊技球は、遊技盤３１０の裏面側へ導かれるようになっている。そして、右通過口３６４は、中央球通路３６５の右側に隣接する右球通路３６７に繋がっており、右通過口３６４を通過して右球通路３６７へ流下した遊技球は、左球通路３６６と同様に、遊技盤３１０の裏面側へ導かれるようになっている。
【０１３３】
回転体３７０は、振り分け板３６１の中央部前面側に回転自在に取り付けられ、振り分け板３６１の裏面側に設けられた電気モータ（図示せず）により回転するようになっている。回転体３７０の周部には、４本の第１振り分けアーム３７１および、第１振り分けアーム３７１よりもアーム長さが短い４本の第２振り分けアーム３７２が外方へ延びるように形成されている。
【０１３４】
第１振り分けアーム３７１は、回転体３７０の周部に９０度間隔（等間隔）で形成され、第１振り分けアーム３７１の一つが回転して回転体３７０の下端付近に位置すると、振り分け板３６１に形成された入賞通過口３６２を塞ぐようになっている。第２振り分けアーム３７２は、回転体３７０の周部における第１振り分けアーム３７１と４５度だけ回転方向へずれた位置に９０度間隔（等間隔）で形成される。そして、第２振り分けアーム３７２は、第１振り分けアーム３７１よりも短いアーム長さを有しており、第２振り分けアーム３７２の一つが回転して回転体３７０の下端付近に位置しても、振り分け板３６１に形成されたいずれの通過口３６２，３６３，３６４をも塞がないようになっている。
【０１３５】
振り分け装置３８０は、振り分け装置３８０の内部通路に左右へ回動自在に設けられた振り分け部材３８１を主体に構成され、この振り分け部材３８１を用いて、センター役物３５０の中央球通路３６５から振り分け装置３８０の内部通路に流下した遊技球を、振り分け部材３８１の左方に設けられた球排出口３８２、もしくは振り分け部材３８１の右方に設けられた入賞排出口３８３のいずれか一方に振り分けて、（遊技球を）各排出口３８２，３８３のいずれかより遊技盤３１０の裏面側へ排出するようになっている。なお、振り分け装置３８０の内部通路に流下した遊技球は、振り分け部材３８１の上方に設けられた通過検出センサ３８４に検出されるようになっている。また、入賞排出口３８３を通過した遊技球は、V入賞センサ３８５（図１５を参照）に検出されるようになっている。
【０１３６】
第二実施形態の遊技制御装置４００には、始動入賞装置３１４、始動ゲート３１７、普通電動役物３３０、大入賞装置３１５、振り分け装置３８０、第１図柄表示装置３１２、第２図柄表示装置３１３等が電気的に接続されており、各種検出信号および制御信号の送受信が行われるようになっている。
【０１３７】
また、遊技制御装置４００は、各入賞装置への入球（入賞）を判定する入球判定手段４１０と、始動入賞装置３１４（通過始動口３１４ａ）への遊技球の入賞に基づき第１の抽選を実行する第１抽選手段４１２と、振り分け装置３８０への遊技球の入球に基づき第３の抽選を実行する第３抽選手段４１４と、第１の図柄および第２の図柄の変動表示パターンを保持するパターン記憶手段４１６と、図柄変動における停止図柄および変動表示の表示パターンを決定する図柄決定手段４２０と、図柄等の表示を制御する表示制御手段４３０と、大当たり遊技等の通常遊技よりも遊技者に有利な特別遊技を制御する特別遊技制御手段４４０と、確率変動遊技等の通常遊技よりも遊技者に有利な特定遊技を制御する特定遊技制御手段４６０と、普通電動役物３３０や大入賞装置３１５等の開閉制御を行う開閉制御手段４７０とを備えて構成される。
【０１３８】
始動入賞装置３１４の入賞検出センサ３２４は、始動入賞装置３１４への遊技球の入球（入賞）を検出し、第１始動入賞情報を出力する。入球判定手段４１０は、第１始動入賞情報を受信すると遊技球が通過始動口３１４ａを通過して始動入賞装置３１４に入球したことを判定する。始動入賞装置３１４への入球が判定されると、第１抽選手段４１２は、保留球数が上限に達しているか否かを調べる。例えば、保留球数の上限は４つに設定されている。保留球数が上限に達していない場合、入球判定手段４１０が第１始動入賞情報を受信したタイミングで、第１抽選手段４１２は始動入賞に対する乱数を取得する。なお、第１抽選手段４１２は、数学的に乱数を生成して取得してもよく、また図示しないカウンタにより生成されるカウント値を乱数として取得してもよい。このようにして取得した乱数に基づいて、第１抽選手段４１２は特別図柄抽選（第１の抽選）の当否を判定する。なお、抽選の当否判定は、乱数の取得と同時に行われてもよく、また、特別図柄の変動を開始する直前に行われてもよく、所定の抽選ソフトウェアを利用して行われる。抽選乱数が当たりであった場合、第１抽選手段４１２は確率変動付きの当たりであるか否かを決定する。
【０１３９】
図柄決定手段４２０における第１図柄決定手段４２２は、第１抽選手段４１２による判定結果に応じた停止図柄と、図柄変動の表示パターンとを決定する。停止図柄は、図柄変動の終了時に表示するべき図柄である。パターン記憶手段４１６は、第１の図柄を変動表示させるときの表示パターンとして複数種のパターンを保持する。表示パターンには、通常の外れ図柄を表示するときのパターンと、リーチ状態を経て大当たり図柄を表示するときのパターンとが含まれる。また、リーチ状態を経るときのパターンとして、長短様々な表示時間をもつパターンが含まれる。各表示パターンは、その図柄変動の終了条件として表示時間がそれぞれ定められており、その表示時間が経過すると、図柄変動が停止される。そして、第１図柄決定手段４２２は、第１抽選手段４１２による抽選結果に応じてパターン記憶手段４１６からいずれかのパターンを選択し、抽選結果に応じた第１の図柄の停止図柄を決定する。
【０１４０】
始動ゲート３１７には通過検出センサ３２７が設けられており、始動ゲート３１７での遊技球の通過を検出し、ゲート通過情報を出力するようになっている。入球判定手段４１０は、ゲート通過情報を受信すると遊技球が始動ゲート３１７を通過したことを判定する。始動ゲート３１７の通過が判定されると、開閉制御手段４７０が普通電動役物３３０を所定時間だけ拡開作動させる。
【０１４１】
振り分け装置３８０の通過検出センサ３８４は、振り分け装置３８０への遊技球の入球（入賞）を検出し、第２始動入賞情報を出力する。入球判定手段４１０は、第２始動入賞情報を受信すると遊技球が第２抽選手段３６０の入賞通過口３６２を通過して振り分け装置３８０に入球したことを判定する。振り分け装置３８０への入球が判定されると、第３抽選手段４１４は、第１抽選手段４１２と同様に、保留球数が上限に達しているか否かを調べ、保留球数が上限に達していない場合、入球判定手段４１０が第２始動入賞情報を受信したタイミングで、始動入賞に対する乱数を取得する。このようにして取得した乱数に基づいて、第３抽選手段４１４は第３の抽選の当否を判定する。なお、抽選の当否判定は、乱数の取得と同時に行われてもよく、また、特別図柄の変動を開始する直前に行われてもよく、所定の抽選ソフトウェアを利用して行われる。
【０１４２】
図柄決定手段４２０における第２図柄決定手段４２４は、第３抽選手段４１４による判定結果に応じた停止図柄と、図柄変動の表示パターンとを決定する。停止図柄は、図柄変動の終了時に表示するべき図柄である。パターン記憶手段４１６は、第２の図柄を変動表示させるときの表示パターンとして第１の図柄と同様に複数種のパターンを保持する。そして、第２図柄決定手段４２４は、第３抽選手段４１４による抽選結果に応じてパターン記憶手段４１６からいずれかのパターンを選択し、抽選結果に応じた第２の図柄の停止図柄を決定する。
【０１４３】
表示制御手段４４０は、第１の図柄を変動表示させる第１表示制御手段４３１と、第２の図柄を変動表示させる第２表示制御手段４３２とを有して構成される。第１表示制御手段４３１は、第１図柄決定手段４２２において決定された変動パターンおよび停止図柄をもとに、第１図柄表示装３１２に第１の図柄を表示させる。第２表示制御手段４３２は、第２図柄決定手段４２４において決定された変動パターンおよび停止図柄をもとに、第２図柄表示装置３１３に第２の図柄を表示させる。
【０１４４】
特別遊技制御手段４４０は、２種類の特別遊技を選択的に実行することができる。特別遊技制御手段４４０において、条件保持手段４４２は、２種類の特別遊技の作動条件を保持する。特別遊技実行手段４４８は、所定の作動条件が成立したことに基づいて特別遊技を実行する機能を有する。
【０１４５】
条件保持手段４４２における第１条件保持手段４４３は、第１の特別遊技を実行するための条件である第１作動条件を保持している。本実施形態において第１作動条件は、第１表示制御手段４３１により変動表示される第１の図柄が第１図柄表示装置３１２において所定の図柄で停止されたことに設定される。また、第２条件保持手段４４４は、第２の特別遊技を実行するための条件である第２作動条件を保持している。本実施形態において第２作動条件は、第１表示制御手段４３１により変動表示される第１の図柄が第１図柄表示装置３１２において所定の図柄で停止され、振り分け装置３８０により遊技球が入賞排出口３８３へ導かれてV入賞センサ３８５で検出されることに設定される。
【０１４６】
特別遊技制御手段４４０における条件判定手段４４６は、遊技情報を監視し、特別遊技への移行条件である第１作動条件または第２作動条件の成立の可否を判定する。また、条件判定手段４４６は、それぞれの作動条件の判定結果をもとに、各種作動フラグのオンまたはオフの設定を行う。
【０１４７】
特別遊技実行手段４４８における第１特別遊技実行手段４４９は、第１作動条件が成立すると、第１の特別遊技を実行する。ここで、第１の特別遊技は、大入賞装置３１５による大入賞口３１５の開閉操作を複数回連続して継続する遊技であり、第１の特別遊技に移行すると、遊技者は特別遊技が行われていることを容易に認識することができるとともに、相当数の賞球を期待することができる。このとき、第１特別遊技実行手段４４９は、開閉制御手段４７０に大入賞口３１５ａの開閉制御を行わせる。開閉制御手段４７０は、第１の特別遊技中、大入賞装置３１５の大入賞口ソレノイド３２６に開放作動信号（もしくは、閉鎖作動信号）を出力し、大入賞口３１５ａを開放（もしくは、閉鎖）させる。
【０１４８】
特別遊技実行手段４４８における第２特別遊技実行手段４５０は、第２作動条件が成立すると、第２の特別遊技を実行する。ここで、第２の特別遊技は、回転型入賞装置３１８への遊技球の入賞（入賞検出センサ３２８による遊技球の検出）を条件に、大入賞装置３１５による大入賞口３１５の開閉操作を複数回連続して継続する遊技であり、第２の特別遊技に移行すると、遊技者は、第１の特別遊技と同様に、相当数の賞球を期待することができる。このとき、第２特別遊技実行手段４５０は、回転型入賞装置３１８への遊技球の入賞を条件に、開閉制御手段４７０に大入賞口３１５ａの開閉制御を行わせる。開閉制御手段４７０は、第２の特別遊技中、大入賞装置３１５の大入賞口ソレノイド３２６に開放作動信号（もしくは、閉鎖作動信号）を出力し、大入賞口３１５ａを開放（もしくは、閉鎖）させる。
【０１４９】
特別遊技制御手段４４０における作動回避手段４５２は、第１作動条件および第２作動条件のいずれか一方の作動条件が成立したとき、他方の作動条件の成立を回避させる機能を有する。したがって、第２作動条件の成立中は、第１作動条件の成立が回避される一方、第１作動条件の成立中は、第２作動条件の成立が回避される
【０１５０】
特定遊技制御手段４６０は、特別遊技とは異なる遊技者に有利な特定遊技、例えば確率変動遊技の実行を制御する。本実施形態において、当たり抽選は、第１抽選手段４１２による第１の抽選と、第３抽選手段４１４による第３の抽選の２種類が存在しており、それぞれの図柄抽選に対して確率変動遊技が設定可能とされる。
【０１５１】
特定遊技制御手段４６０における第１特定遊技実行手段４６２は、第１抽選手段４１２による抽選結果に基づいて、第１の図柄の確率変動遊技を実行する。例えば、第１の図柄の停止図柄が奇数であるときに、第１の特別遊技の終了後、第１の図柄の確率変動遊技が実行される。なお、第１の図柄の確率変動遊技における当たりの割合は、通常遊技のときよりも高く設定される。また、第２特定遊技実行手段４６４は、第３抽選手段４１４による抽選結果に基づいて、第１特定遊技実行手段４６２と同様に、第２の図柄の確率変動遊技を実行する。なお、第２の図柄の確率変動遊技における当たりの割合は、通常遊技のときよりも高く設定される。
【０１５２】
以上のように構成される第二実施形態のパチンコ機において、前述したように、内部空間３５３に第２抽選手段３６０が設けられたセンター役物３５０の上方に隣接して、センター役物３５０の入球口３５１に対する遊技球の通過を許可および規制可能な普通電動役物３３０が設けられている。そのため、普通電動役物３３０が拡開作動して遊技球が普通電動役物３３０および入球口３５１を通過可能となったときに第２の抽選を行うことが可能となり、第１抽選手段４１２を用いた第１の遊技（抽選）と第２抽選手段３６０を用いた第２の遊技（抽選）とをそれぞれ独立して行うことができる。従って、２種類の遊技を効果的に組み合わせることが可能となり、それぞれの遊技によってもたらされるべき遊技性を十分に発揮させることができるため、遊技性を向上させることが可能になる。なお、第１の抽選が所定の抽選ソフトウェアを利用して行われ、第２の抽選が入球口３５１を通過し内部空間３５３に入球した遊技球を利用して機械的に行われるため、異なる種類の抽選（遊技）を行うことが可能となり、遊技性をさらに向上させることができる。
【０１５３】
そして、遊技球が通過始動口３１４ａを通過して始動入賞装置３１４に入賞すると、第１抽選手段４１２により所定の抽選ソフトウェアを利用した第１の抽選が行われ、第１図柄表示装置３１２において第１の図柄が所定時間だけ変動表示される。変動停止時の第１の図柄が大当たりを示す図柄である場合、第１の特別遊技に移行する。
【０１５４】
第１の特別遊技においては、大入賞装置３１５の作動により大入賞口３１５ａが開放される。そして、大入賞口３１５ａが約３０秒間開放された後、または９球以上の遊技球が大入賞口３１５ａを通過して大入賞装置３１５に入賞した後、大入賞口３１５ａが一旦閉鎖され、このような開閉動作が所定回数継続して繰り返される。
【０１５５】
また、遊技球が始動ゲート３１７（開放始動口）を通過すると、普通電動役物３３０が所定時間だけ開放される。遊技球が開放された普通電動役物３３０の入賞入口３３３を通過すると、普通電動役物３３０のベース部材３３１の内部を流下した後、入賞出口３３４を通過してセンター役物３５０へ流下する。
【０１５６】
普通電動役物３３０の入賞出口３３４からセンター役物３５０へ流下する遊技球は、センター役物３５０の入球口３５１を通過して球流下通路３５２の左右いずれか一方を流下し、センター役物３５０の内部下方に形成された内部空間３５３に達する。そして、遊技球がセンター役物３５０の内部空間３５３に達すると、第２抽選手段１５０により遊技球を利用した機械的な第２の抽選が行われる。
【０１５７】
このとき、遊技球は、球流下通路３５２に形成されたガイド板（図示せず）により、振り分け板３６１の入賞通過口３６２の前方まで導かれ、回転部材３７０の第１振り分けアーム３７１の一つが回転部材３７０の下端付近に位置して入賞通過口３６２を塞いでいるときには、遊技球は第１振り分けアーム３７１の一つに当接して左通過口３６３もしくは右通過口３６４のいずれか一つを通過する。そして、左通過口３６３もしくは右通過口３６４を通過した遊技球は、左球通路３６６もしくは右球通路３６７を流下して遊技盤３１０の裏面側へ向かう。
【０１５８】
一方、第１振り分けアーム３７１の一つが回転部材３７０の下端付近に位置せずに、第２振り分けアーム３７２の一つが回転部材３７０の下端付近に位置するときには、遊技球はそのまま入賞通過口３６２を通過して中央球通路３６５を流下し、振り分け装置３８０へ向かう。このようにして、第２抽選手段３６０による遊技球を利用した機械的な（第２の）抽選が行われる。
【０１５９】
遊技球が振り分け装置３８０に達すると、第３抽選手段４１４により所定の抽選ソフトウェアを利用した第３の抽選が行われ、第２図柄表示装置３１３，３１３において第２の図柄が所定時間だけ変動表示される。変動停止時の第２の図柄が大当たりを示す図柄である場合、振り分け装置３８０により遊技球が入賞排出口３８３を通過して第２の特別遊技に移行する。
【０１６０】
第２の特別遊技においては、回転型入賞装置３１８への遊技球の入賞（入賞検出センサ３２８による遊技球の検出）を条件に、大入賞装置３１５の作動により大入賞口３１５ａが開放される。そして、大入賞口３１５ａが約３０秒間開放された後、または９球以上の遊技球が大入賞口３１５ａを通過して大入賞装置３１５に入賞した後、大入賞口３１５ａが一旦閉鎖され、このような開閉動作が所定回数継続して繰り返される。
【０１６１】
以上に説明した本発明の第二実施形態において、達成される主要な効果を整理すれば、下記のようになる。
【０１６２】
第１に、センター役物３５０の入球口３５１に対する遊技球の通過を許可および規制可能な普通電動役物３３０を備えて構成されるため、普通電動役物３３０が拡開作動して遊技球が普通電動役物３３０および入球口３５１を通過可能となったときに第２の抽選を行うことが可能となり、第１抽選手段４１２を用いた第１の遊技（抽選）と第２抽選手段３６０を用いた第２の遊技（抽選）とをそれぞれ独立して行うことができる。従って、２種類の遊技を効果的に組み合わせることが可能となり、それぞれの遊技によってもたらされるべき遊技性を十分に発揮させることができるため、遊技性を向上させることが可能になる。
【０１６３】
第２に、第１の抽選が所定の抽選ソフトウェアを利用して行われ、第２の抽選が入球口３５１を通過し内部空間３５３に入球した遊技球を利用して機械的に行われることで、異なる種類の抽選（遊技）を行うことが可能となり、遊技性をさらに向上させることができる。
【０１６４】
なお、上述の第二実施形態において、第１の抽選が所定の抽選ソフトウェアを利用して行われ、第２の抽選が内部空間３５３に入球した遊技球を利用して機械的に行われているが、これに限られるものではなく、第１の抽選が機械的に行われてもよく、第２の抽選が所定の抽選ソフトウェアを利用して行われてもよい。さらに、第１および第２の抽選を、機械的な抽選およびソフトウェアを利用した抽選を組み合わせて行うようにしてもよい。
【０１６５】
また、上述の第二実施形態において、振り分け装置３８０に設けられた通過検出センサ３８４は、第２抽選装置（センター役物３５０）の中央球通路３６５に設けてられてもよい。
【０１６６】
さらに、上述の第二実施形態において、センター役物３５０の上方に隣接して、センター役物３５０の入球口３５１に対する遊技球の通過を許可および規制可能な普通電動役物３３０が設けられているが、これに限られるものではない。例えば、開閉扉（もしくは、シャッター部材）を用いて入球口３５１を開閉させるようにしてもよく、また例えば、遊技領域ＰＡ２における入球口３５１の近傍に出没可能なピン部材（もしくは、釘部材）を配置し、このピン部材を遊技盤３１０上に突出させることで入球口３５１に対する遊技球の通過を規制（および、ピン部材を遊技盤３１０側に没入させることで遊技球の通過を許可）するようにしてもよく、入球口３５１に対する遊技球の通過を許可および規制可能な通過規制装置が用いられていればよい。
【０１６７】
また、上述の第二実施形態において、遊技盤３１０の遊技領域ＰＡ２に大入賞装置３１５が１つ設けられているが、これに限られるものではなく、遊技領域ＰＡ２に大入賞装置を２つ（複数）設けてもよい。
【０１６８】
さらに、上述の第二実施形態において、センター役物３５０に、遊技球を一時的に停留させつつ始動入賞装置３１４へ落下させることが可能な（例えば、第一実施形態における第１ステージ部１０５のような）ステージ部を設けるようにしてもよい。このようにすれば、遊技性をさらに向上させることができる。なおこのとき、センター役物３５０の内部空間３５３（第２抽選手段３６０）の前面側に、入球口３５１以外から遊技球が内部空間３５３に入球するのを防止可能なカバー部材を設けることが好ましい。
【符号の説明】
【０１６９】
ＰＭ    パチンコ機
ＰＡ    遊技領域
ＰＡ２  遊技領域（第二実施形態）
１０  遊技盤
１２  装飾図柄表示装置（１２ａ  表示面、１２ｂ  サブ表示面）
１３  始動入賞装置（１３ａ  通過始動口）
１４  普通電動役物（１４ａ  開放始動口）
１６  第１大入賞装置（１６ａ  第１大入賞口）
１００  センター役物
１０３  内部空間
１０４  前部空間
１０５  第１ステージ部
１２０  第２大入賞装置
１２２  第２大入賞口
１３０  開閉装置
１３１  開閉扉
１５０  第２抽選手段
１５１  球排出口
１５６  特別入賞口
１６０  振り分け装置
１６１  第２ステージ部
１６２  球通過部
１６３  中央傾斜部
１６４  左傾斜部
１６５  右傾斜部
１７１  左回転体
１７２  左胴部
１７３  第１左羽根部
１７４  第２左羽根部
１７６  右回転体
１７７  右胴部
１７８  第１右羽根部
１７９  第２右羽根部
１９０  カバー部材
１９１  天井部
２１２  第１抽選手段
２４８  特別遊技実行手段
３１０  遊技盤（第二実施形態）
３１４  始動入賞装置（３１４ａ  通過始動口）
３１７  始動ゲート（開放始動口）
３３０  普通電動役物
３５０  センター役物
３５１  入球口
３５３  内部空間
３６０  第２抽選手段
４１２  第１抽選手段
４４８  特別遊技実行手段
【図１】
2010172720.tif 000003
【図２】
2010172720.tif 000004
【図３】
2010172720.tif 000005
【図４】
2010172720.tif 000006
【図５】
2010172720.tif 000007
【図６】
2010172720.tif 000008
【図７】
2010172720.tif 000009
【図８】
2010172720.tif 000010
【図９】
2010172720.tif 000011
【図１０】
2010172720.tif 000012
【図１１】
2010172720.tif 000013
【図１２】
2010172720.tif 000014
【図１３】
2010172720.tif 000015
【図１４】
2010172720.tif 000016
【図１５】
2010172720.tif 000017